(57)【要約】【課題】後面衝突時において、クォータホイールハウスの開口内に配置された給油管の変形を抑制する。【解決手段】給油口を備えた給油管端部３６は、クォータホイールハウス１６の開口３４内に配置されている。クォータホイールハウス１６の上面には、開口３４より後方に車両の左右方向に延びるビード５０が形成されている。後面衝突時、ビード５０を起点としてクォータホイールハウス１６の上面が屈曲するように変形する。ビード５０の近傍が変形することにより、開口３４の周囲の変形が抑制され、給油管端部３６の変形が抑えられる。【選択図】図２
2020104542.tif 000002
【特許請求の範囲】
【請求項１】
内に給油管の端部が配置された開口が上部に形成され、車両の前後方向において前記開口の後方に、車両の左右方向に延びるビードが形成されている、車両のクォータホイールハウス。
【発明の詳細な説明】
【技術分野】
【０００１】
本発明は、車両のクォータホイールハウスに関し、特にその構造に関する。
【背景技術】
【０００２】
乗用車などの車両の多くは、車体後部に後輪の前後および上方を囲むように設けられたクォータホイールハウスを有する。また、車体後部には、燃料タンクに燃料を導入するために給油管が配置される。クォータホイールハウスに開口が設けられ、この開口内に給油管の端部が配置される場合がある。下記特許文献１には、オープンカー（Ｖ）の車体後部の構造、特にクォータホイールハウス（リアホイールハウス１３）の周囲の構造が示されている。また、段落００４９等に、後面衝突時におけるクォータホイールハウス（１３）の変形について言及されている。なお、上記の（  ）内の部材名および符号は、下記特許文献１で用いられている符号であり、本願の実施形態の説明で用いられる部材名および符号とは関連しない。
【先行技術文献】
【特許文献】
【０００３】
【特許文献１】特開２０１７−１６５３５２号公報
【発明の概要】
【発明が解決しようとする課題】
【０００４】
クォータホイールハウスに設けられた開口内に給油管の端部が配置される場合、後面衝突時に、給油管の端部が、変形したクォータホイールハウスから荷重を受ける場合がある。
【０００５】
本発明は、後面衝突時に、クォータホイールハウスから給油管の端部に伝わる荷重を低減する、または荷重が伝わらないようにすることを目的とする。
【課題を解決するための手段】
【０００６】
本発明に係る車両のクォータホイールハウスは、内に給油管の端部が配置された開口が上部に形成され、車両の前後方向において前記開口の後方に、車両の左右方向に延びるビードが形成されている。
【発明の効果】
【０００７】
後面衝突時、ビードが屈曲の起点となってクォータホイールハウスが変形し、ビードより前方にある開口周囲の変形が抑制され、給油管の端部に伝わる荷重を低減することができる。
【図面の簡単な説明】
【０００８】
【図１】コンバーチブル車の車体後部の構造を示す斜視図である。
【図２】クォータホイールハウスおよびその周囲の概略構成を斜め後方から見た状態を示す斜視図である。
【図３】クォータホイールハウスおよびその周囲の概略構成を側方かつ斜め上方から見た状態で示す斜視図である。
【図４】クォータホイールハウスおよびその周囲の概略構成を示す平面図である。
【図５】クォータホイールハウスおよびその周囲の概略構成を示す側面図である。
【図６】クォータホイールハウスの開口周囲を拡大して示す図である。
【発明を実施するための形態】
【０００９】
以下、本発明の実施形態を図面に従って説明する。以下の説明において、特段の断りがない限り、前後左右上下等の方向および向きを表す語句は、車両に関する方向および向きを表す。また、車両の左右方向（幅方向）において車両の前後方向に延びる中心線に近い側を車幅方向内側、遠い側を車幅方向外側と記す。各図において、矢印ＦＲの向きが前方、矢印ＵＰの向きが上方、矢印ＬＨの向きが左方、矢印ＯＵＴの向きが車幅方向外側である。
【００１０】
図１は、ルーフ格納式のオープンカー（コンバーチブル車）の車体１０、特に車体後部を概略的に示す斜視図である。車体１０の後部左右には、車両外板の一部であるクォータパネル１２が配置される。多くの場合、左右のいずれかのクォータパネル１２、図示する例では左のクォータパネル１２に、燃料の供給口を覆うフューエルリッド１４が設けられている。給油の際には、フューエルリッド１４を開いて、内部に配置された給油口を露出させる。
【００１１】
クォータパネル１２の車幅方向内側には、クォータホイールハウス１６が位置している。クォータホイールハウス１６は、側方から見たとき、後輪（不図示）の前後および上方をアーチ状に囲んでいる。また、クォータホイールハウス１６を後方から見たとき、上部は、上方に湾曲しており、上下動するホイールの可動空間が確保されている。以下、クォータホイールハウス１６をホイールハウス１６と記す。
【００１２】
図２〜図５は、給油口が設けられた側のホイールハウス１６およびその周囲の概略構成を示す図である。図２は斜め後方から、図３は側方から見下ろした状態を示す斜視図であり、図４は平面図、図５は側面図である。
【００１３】
ホイールハウス１６は、ホイールハウスアウタ１８と、ホイールハウスアウタ１８の車幅方向内側に位置するホイールハウスインナ２０を接合して形成される。ホイールハウスアウタ１８およびホイールハウスインナ２０は、共に鋼板などの板金製である。ホイールハウスインナ２０は、前後に配置された２つの部分からなる。ホイールハウスインナ２０の前側の部分をホイールハウスインナフロント２２、後側の部分をホイールハウスインナリア２４と記す。ホイールハウスインナフロント２２の後縁とホイールハウスインナリア２４の前縁は、重ねられて、溶接、例えばスポット溶接により接合されている。重ねられたホイールハウスインナリア２４の前縁２４ａが図４において破線で示されている。
【００１４】
ホイールハウスアウタ１８と、ホイールハウスインナ２０の互いに対向する縁には、それぞれアウタフランジ２６およびインナフランジ２８が設けられ、これらがスポット溶接され、接合されている。
【００１５】
ホイールハウス１６の上部の前部には、給油管３０の上端部分を収容するための給油管収容部３２が上方に膨出して設けられている。膨出した部分の内部の空間に給油管３０が配置される。ここから、給油管３０はホイールハウス１６の内側空間、特に内側壁面に沿って下方に向かい、内側壁面の下縁から車幅方向内側に延びて、燃料タンク（不図示）に向かう。給油管収容部３２は、ホイールハウスアウタ１８に設けられた外側部分３２ａと、ホイールハウスインナ２０に設けられた内側部分３２ｂから構成される。
【００１６】
給油管収容部３２、特に外側部分３２ａには、車幅方向外側に向き、特に斜め上方に向いた開口３４が形成されている。開口３４内には、給油管３０の、給油口を有する端部（以下、給油管端部３６と記す。）が位置する。この例では、給油管端部３６は、一部が開口３４から出るように配置されている（図２参照）。
【００１７】
ホイールハウスアウタ１８の開口３４の周囲には、概略環状の補強板３８が配置され、接合されている。補強板３８は、上縁に補強板フランジ４０を有し、この補強板フランジ４０は、ホイールハウスアウタ１８およびホイールハウスインナ２０のアウタフランジ２６およびインナフランジ２８と共に重ねられて一緒にスポット溶接されている。
【００１８】
ホイールハウスインナリア２４には、上方に膨出するようにサスペンションタワー４２が形成されている。サスペンションタワー４２の内部には、サスペンションのスプリングやショックアブソーバなどの上端部が収容され、これらはサスペンションタワー４２の上部に結合されている。サスペンションタワー４２およびこの周囲の剛性は、操縦性等に大きく影響を与える。特に、オープンカーの場合、ルーフ等の上部構造による剛性確保が期待できないため、上部構造以外の部分の剛性、例えばサスペンションタワー４２自体の剛性を高めている。このため、ホイールハウスインナリア２４の板厚は、ホイールハウスインナフロント２２に比べて厚くなっている。この例においては、ホイールハウスインナリア２４の板厚は、ホイールハウスインナフロント２２の約３倍である。
【００１９】
ホイールハウスインナ２０の上面であって、サスペンションタワー４２とインナフランジ２８の間には、格納式ルーフ（不図示）の開閉を行うルーフ開閉機構のリンク群４４が配置されている。リンク群４４を構成する各リンクは、ホイールハウスインナ２０の上面に固定されたベース板４６に対して回動可能に、または互いに回動可能に、場合によってはスライドを許容して結合されている。この例では、ベース板４６は、ホイールハウスインナリア２４に固定され、その前端は、ホイールハウスインナリア２４の前縁２４ａとほぼ同じ位置にある。図５に示されるように、ホイールハウス１６の前方には、クォータウインドゥガラスを昇降するためのウインドゥレギュレータのガイド板４８が配置されている。ガイド板４８には、複数のスロットが形成され、このスロットに沿ってフォロワ４９が移動し、フォロワ４９に保持されたウインドゥガラスが昇降する。
【００２０】
後面衝突時、後方からの衝突荷重によってホイールハウス１６は前後方向につぶれる。ホイールハウス１６の変形に伴って、給油管３０、特に給油管端部３６が変形しないようにする必要がある。また、ホイールハウス１６の前方には、ウインドゥレギュレータのガイド板４８があり、ガイド板４８に阻まれてホイールハウス１６全体が前方に移動することができない。この結果、変形したホイールハウス１６によって給油管端部３６が変形する可能性がある。したがって、後方からの荷重によって、開口３４より後方でホイールハウス１６を変形させて開口３４の周囲の変形を抑制する必要がある。
【００２１】
このホイールハウス１６においては、内に給油管端部３６が配置された開口３４の後方にビード５０が形成されている。特に、ビード５０は、補強板３８より後方に形成することができる。ビード５０は、左右方向に延びており、ホイールハウスアウタ１８の上面を凹ませて形成されている。ビード５０は、上面を凸にするように膨出形状に形成されてもよい。ビード５０を設けたことにより、この部分が前後方向の荷重に対して屈曲しやすい、脆弱な構造となる。後方から衝突荷重が加わると、ビード５０の部分が周囲に対して脆弱なために、ビード５０を起点にホイールハウス１６の上面が屈曲し、ビード５０より前方に位置する給油管収容部３２の変形が抑制され、給油管収容部３２の内部の給油管端部３６の変形が回避される。
【００２２】
ビード５０は、ホイールハウスインナフロント２２とホイールハウスインナリア２４の接合部分（特に、接合部分の車幅方向外側の端）よりも前に位置するようにできる。前述のようにホイールハウスインナリア２４は厚いので、剛性および強度が高い。また、リンク群４４が結合されたベース板４６も、ホイールハウスインナリア２４に取り付けられており、ホイールハウスインナリア２４の上部の強度を高めている。よって、ホイールハウスインナリア２４は、変形が容易でなく、後面衝突時においては、これより前の部分を変形させる方が容易である。したがって、ホイールハウスインナリア２４の前縁２４ａの位置、またはそれよりも前の位置にビード５０を設け、ここに屈曲の起点を形成する。
【００２３】
図６は、ホイールハウスアウタ１８の開口３４の周囲を拡大した図である。アウタフランジ２６、インナフランジ２８および補強板フランジ４０の溶接点５２が「×」で示されている。ビード５０の上方においては、溶接点５２の間隔が他の部分より広げられ、この部分での屈曲を容易にしている。ビード５０を挟む２つの溶接点５２のうち、前方の溶接点を第１溶接点５２-1、後方の溶接点を第２溶接点５２-2と記す。第１溶接点５２-1の前方の隣接する溶接点５２を第３溶接点５２-3と記し、第２溶接点５２-2の後方の隣接する溶接点５２を第４溶接点５２-4と記す。第１溶接点５２-1と第２溶接点５２-2の間隔は、第１溶接点５２-1と第３溶接点５２-3の間隔よりも広く、また第２溶接点５２-2と第４溶接点５２-4の間隔よりも広い。溶接点５２のうちアウタフランジ２６、インナフランジ２８および補強板フランジ４０を一緒に溶接している溶接点、第３溶接点５２-3、および第１溶接点５２-1において、隣接する溶接点５２の間隔は等しくすることができ、さらにスポット溶接可能な最小の間隔とすることができる。第２溶接点５２-2と第４溶接点５２-4の間隔も、第１溶接点５２-1と第３溶接点５２-3の間隔と等しくすることができる。ビード５０の位置で、溶接点５２の間隔を広げたことにより、ビード５０周辺の部分の強度を低くすることができ、この部分が屈曲しやすくなる。
【００２４】
以下に、本発明の他の態様を記す。
［１］
内に給油管の端部が配置された開口が上部に形成されたホイールハウスアウタと、
車両の左右方向において前記ホイールハウスアウタの内側に位置し、前記ホイールハウスアウタに接合されて当該ホイールハウスアウタと共にホイールハウスを形成するホイールハウスインナと、
を備え、
ホイールハウスアウタの上面には、車両の前後方向において前記開口の後方に、車両の左右方向に延びるビードが形成されている、
車両のクォータホイールハウス。
［２］
上記［１］に記載の車両のクォータホイールハウスであって、
前記ホイールハウスアウタと前記ホイールハウスインナそれぞれの上縁にはフランジが設けられ、前記フランジ同士が所定の溶接点でスポット溶接されて、当該ホイールハウスアウタと当該ホイールハウスインナが接合され、
前記溶接点は、
前記ビードの位置より前方に位置する第１溶接点と、
前記ビードの位置より後方に位置し、前記第１溶接点と隣接する第２溶接点と、
を含み、
前記第１溶接点と前記第２溶接点の間隔は、前記第１溶接点とそれより１つ前の溶接点との間隔、および第２溶接点とそれより１つ後の溶接点との間隔よりも広い、
車両のクォータホイールハウス。
［３］
上記［１］または［２］に記載の車両のクォータホイールハウスであって、
前記ホイールハウスインナは、前方に配置されたインナフロントと、後方に配置され、前記インナフロントと接合されたインナリアとを含み、
前記ビードは、車両の前後方向において、前記インナリアの前縁の位置、またはこれより前に位置する、
車両のクォータホイールハウス。
［４］
上記［３］に記載の車両のクォータホイールハウスであって、前記インナリアにサスペンションタワーが形成され、インナフロントの板厚が、インナリアの板厚より薄い、車両のクォータホイールハウス。
［５］
上記［１］〜［４］のいずれか１つに記載の車両のクォータホイールハウスであって、前記ホイールハウスアウタの前記開口周囲に補強板が接合されている、車両のクォータホイールハウス。
［６］
上記［５］に記載の車両のクォータホイールハウスであって、前記ビードは、車両の前後方向において、前記補強板より後方に位置している、車両のクォータホイールハウス。
［７］
上記［１］〜［６］のいずれか１つに記載の車両のクォータホイールハウスであって、オープンカーのクォータホイールハウスである、車両のクォータホイールハウス。
【符号の説明】
【００２５】
１０  車体、１２  クォータパネル、１４  フューエルリッド、１６  クォータホイールハウス、１８  ホイールハウスアウタ、２０  ホイールハウスインナ、２２  ホイールハウスインナフロント、２４  ホイールハウスインナリア、２６  アウタフランジ、２８  インナフランジ、３０  給油管、３２  給油管収容部、３２ａ  外側部分、３２ｂ  内側部分、３４  開口、３６  給油管端部、３８  補強板、４０  補強板フランジ、４２  サスペンションタワー、４４  リンク群、４６  ベース板、４８  ガイド板、４９  フォロワ、５０  ビード、５２  溶接点。
【図１】
2020104542.tif 000003
【図２】
2020104542.tif 000004
【図３】
2020104542.tif 000005
【図４】
2020104542.tif 000006
【図５】
2020104542.tif 000007
【図６】
2020104542.tif 000008